(57)【要約】【課題】  マンホール鉄蓋などの蓋自体が災害時のトイレとなる形式のものにおいて、用便口を閉じる蓋体の裏面に必要十分な長さのハンドルを収納しておき、使用時にそのハンドルを使用位置に付け変えられるようにした災害時のトイレ兼用蓋を提供する。【解決手段】  地下構造物に通じる開口箇所を用便口として使用する災害時のトイレ兼用蓋であって、使用者が用便に用いることができる前後長さの用便口１２を有する便器本体１１と、便器本体１１の用便口１２を閉じるために用便口１２の長さ方向の一端側を取り付け部として回転可能に設けられた蓋体１３と、使用者に安定性を与えるために十分に長く形成され、不使用時に蓋体１３の裏面に長手方向に配置して固定し、使用時に蓋体１３の自由端側に取り付けるハンドル１８と、を有する。【選択図】          図１
2005240510.tif 000002
【特許請求の範囲】
【請求項１】
地下構造物に通じる開口箇所を用便口として使用する災害時のトイレ兼用蓋であって、使用者が用便に用いることができる前後長さの用便口を有する便器本体と、便器本体の用便口を閉じるために用便口の長さ方向の一端側を取り付け部として回転可能に設けられた蓋体と、使用者に安定性を与えるため十分に長く形成され、不使用時に蓋体の裏面に長手方向に配置して固定し、使用時に蓋体の自由端側に取り付けるハンドルと、を有することを特徴とする災害時のトイレ兼用蓋。
【請求項２】
便器本体は、使用時に蓋体を回転させて用便口を開き、さらに取り付け部側の端部を嵌め合わせて蓋体を倒れないようにセットするための嵌合凹部を有している請求項１記載の災害時のトイレ兼用蓋。
【請求項３】
蓋体は、支軸と軸受孔によって便器本体の側に回転可能に軸支されており、その支軸は嵌合凹部に通じる線上に位置し、蓋体側の軸受孔が、前後方向の長孔として形成されていることにより、蓋体を長孔の方向にスライドさせて嵌合凹部への嵌合及び離脱を行うようにした災害時のトイレ兼用蓋。
【請求項４】
ハンドルは、蝶ナット又は蝶ねじのような工具を必要としない締着具によって不使用時の位置及び使用時の位置に固定される請求項１記載の災害時のトイレ兼用蓋。
【発明の詳細な説明】
【技術分野】
【０００１】
本発明は、地下構造物に通じる開口箇所を用便口として使用する災害時のトイレ兼用蓋に関するものである。
【背景技術】
【０００２】
震災のような大規模災害時に公衆トイレを提供するために、マンホールを利用するものがあり、そのようなトイレ装置に関する出願も種々なされている。特開平９−２９６４９号、同１０−８２０６４号、同１１−３０３１１３号のものは、マンホール鉄蓋に装備した子蓋を開けるだけで簡易マンホールトイレに転換することができるが、和式便器であるにも拘らず手でつかむものがないため用便中の姿勢が安定せず、特に老人や体力の弱い者には使用しにくいという問題がある。
【０００３】
一方、特開２００１−１３２０６８号のものはつかまり棒を有しているので身体を支えることはできるがその幅は狭く、使用するには手を身体の正面にもって来てつかまらなければならないため使いにくく、用便中に姿勢を安定させるには不十分である。また同号のものでは、仮設トイレ蓋を立てて固定するための転倒防止溝を、トイレ蓋を取り付けている用便開口の外に設けているため、マンホール鉄蓋を開き、立てる操作が複雑になり、不安定でもあるという問題がある。なお、他に特開平１１−１９７０５８号のトイレ装置の発明も開示されており、これは十分な大きさのハンドルを有している。しかしその発明はマンホール鉄蓋を外して開口に設置するトイレであり、鉄蓋をそのままトイレとして使用するものではない。
【０００４】
【特許文献１】特開平９−２９６４９号
【特許文献２】特開平１０−８２０６４号
【特許文献３】特開平１１−３０３１１３号
【特許文献４】特開平１１−１９７０５８号
【特許文献５】特開２００１−１３２０６８号
【発明の開示】
【発明が解決しようとする課題】
【０００５】
本発明は前記の点に着目してなされたものであり、その課題は、マンホール鉄蓋などの蓋自体がトイレとなる形式のものにおいて、用便口を閉じる蓋体の裏面に必要十分な長さのハンドルを収納しておき、使用時にそのハンドルを使用位置に付け変えられるようにした災害時のトイレ兼用蓋を提供することである。また本発明の他の課題は、蓋体を立てて固定するための構造及び操作の容易なように合理化された災害時のトイレ兼用蓋を提供することである。
【課題を解決するための手段】
【０００６】
前記の課題を解決するため、本発明は、地下構造物に通じる開口箇所を用便口として使用する災害時のトイレ兼用蓋について、使用者が用便に用いることができる前後長さの用便口を有する便器本体と、便器本体の用便口を閉じるために用便口の長さ方向の一端側を取り付け部として回転可能に設けられた蓋体と、使用者に安定性を与えるため十分に長く形成され、不使用時に蓋体の裏面に長手方向に配置して固定し、使用時に蓋体の自由端側に取り付けるハンドルと、を設けるという手段を講じたものである。
【０００７】
本発明に係る、災害時のトイレ兼用蓋は、用便口を有する便器本体を有し、用便口は、使用者が用便に用いる前後長さを有しているもので、使用者がしゃがむ和式便器にも対応し得る。実施形態で後述する長方形状の地下構造物用鉄蓋装置に本発明を適用した場合には、鉄蓋を受ける受枠が用便口を有する便器本体となる。一方、円形の地下構造物用鉄蓋装置に本発明を適用することも可能であり、その場合には円形の鉄蓋が便器本体となり、そこに長方形状の用便口が設けられることになる。
【０００８】
用便口を閉じるものが本発明における蓋体であり、長方形蓋では、蓋体自体がトイレのいわゆる金隠しとなる。円形蓋ではそれに用便口を形成し、その用便口を閉じるものが蓋体に相当するが、いずれの場合でも、いわゆるマンホール鉄蓋そのものをトイレとし、鉄蓋を外して別のものと交換するのではない形式のものが本発明の前提となっている。蓋体は、用便口の長さ方向の一端側に回転可能に設けられている。
【０００９】
蓋体を、使用時に回転させて用便口を開き、さらに取り付け部側の端部を嵌め合わせ
て、蓋体を倒れないようにセットするために、嵌合凹部を便器本体に設けることが望ましい。嵌合凹部は用便口の内側に設けられる。また蓋体は、支軸と軸受孔によって枠体側に回転可能に軸支され、その支軸は嵌合凹部に通じる線上に位置し、蓋体側の軸受孔は前後方向の長孔として形成される。それにより、蓋体を長孔の方向にスライドさせる操作を通じて、嵌合凹部に嵌合し、また嵌合から離脱させることが一連の動作で可能となる。
【００１０】
本発明の場合、ハンドルは、使用者に安定感を抱かせるために必要かつ十分な長さに形成され、通常時、つまりトイレを使用しない状態では蓋体の裏面に長手方向に配置しておく。蓋体は用便口に嵌め合わされるため十分な長さを有するので、その長さの範囲のハンドルを使用することができるものである。ハンドルの固定箇所は、不使用時と使用時では異なり、かつ蓋体長手方向に対する向きも不使用時は平行、使用時は直交、というように相違する。このためハンドルの着脱を、蝶ナット又は蝶ねじのような、特別の工具を必要としない締着具によって行なえるようにすることが望ましい。またハンドルには、樹脂製グリップを取り付け滑り止め防止につとめることが望まれる。
【発明の効果】
【００１１】
本発明は以上の如く構成されかつ作用するものであるから、用便口を閉じる蓋体の裏面の長手方向に必要十分な長さのハンドルを収納し、災害時などに使用位置に付け変えら
れ、使用者に安定性と安心感を与えることができ、また蓋体の取り付け部側の端部を嵌合凹部に嵌め合わせ、ハンドルで支える体重に耐えることができるとともに、蓋体で用便口を閉じ又蓋体を立てる操作がワンタッチ的に容易に行なわれるという効果を奏する。
【発明を実施するための最良の形態】
【００１２】
以下図示の実施形態により本発明を詳細に説明する。図示のものは、長方形状の鉄蓋装置に本発明を適用した例であり、長方形状の蓋受枠が本発明における便器本体１１とな
り、その長方形状用便口１２を閉じる長方形状の鉄蓋が本発明における蓋体１３になっている。
【００１３】
蓋体１３は、用便口１２の長さ方向の一端側を取り付け部として、支軸１４と軸受孔
１５によって便器本体１１に回転可能に軸支され、使用時に立てることで金隠しとなる。軸受孔１５の孔は、前後方向に長い長孔の形態を持ち、前後方向、従って蓋体１３の長手方向にスライドさせることができる。支軸１４は、蓋体１３を立てたときに倒れないようにセットするために、便器本体１１に設けた嵌合凹部１６に通じる軸線上に位置してお
り、そのため蓋体１３をスライドする操作によって蓋体１３の一側端１７を嵌合凹部１６に嵌合し、また嵌合から離脱させることができる。例示の嵌合凹部１６は、立てたときに蓋体１３の上部が前傾するように傾斜している（図２参照）。
【００１４】
蓋体１３の裏面には、蓋体１３の長手方向全長に収まる範囲で使用上十分な長さを持つハンドル１８が設けられる。例示の場合蓋体１３の全長は５００ミリ近くであり、ハンドル１８は４００ミリ余りとなるので、使用上十分な長さと言うことができる。例示のハンドル１８は中央部に設けた取り付け金具１９によって、不使用時蓋体１３の裏面の中央部かつ片側寄りに固定されている。２１は蓋体裏面の不使用時取り付け部であり、取り付け金具１９の不使用時固定部２２にてハンドル１８をねじ止めする。ねじ止めのために例示のものは蝶型頭部を持つ蝶ねじ型の締着具２３を使用している。図３、図４参照。
【００１５】
ハンドル１８は、使用時固定部２４に、位置決め機能を持つ係合子２５を備えており、使用時固定部２４は不使用時固定部２２とは別の位置に設けられている。係合子２５はキーのように方向性を持つ突起であり、これと係合する相手係合部２６として凹部又は小孔が蓋体１３の自由端側に設けられている。図５参照。このため、係合子２５を相手係合部２６に係合させると、ハンドル１８を蓋体１３の長手方向と直交する方向つまりほぼ水平な方向で固定することができる。なお、２７はワッシャーないしスペーサー、２８はゴムクリップを夫々示す。
【００１６】
便器本体１１の用便口１２は必要な前後長さと人がまたぎ易い幅を有しており、危険というほどの開口である訳ではない。しかし、誤って転落することもないとは言えないた
め、転落防止棒２９、２９´を要所に設けている。転落防止棒２９、２９´は、便器本体に固定的に取り付けるものと、着脱可能に取り付けるものとを用意している。なお、３１は排便管であり、便器本体１１とはパッキング３２を介して接続されている。３３は工具差し込み口であり、開蓋のために使用される。
【００１７】
このように構成されている本発明の災害時のトイレ兼用蓋１０においては、震災等の非常時に、蓋体１３を開いてその取り付け部側の端部１７を嵌合凹部１６に嵌め合わせて立て、ハンドル１８を蝶ねじ型の締着具２３を緩めて外し、蓋体１３の自由端側の取り付け部３４に付け直すことによって、トイレとして使用できるようになる。蓋体１３を開いてハンドル１８を付け直すためには数分も要しない程度であり、周囲を囲むことを含めても１０分はかからないので、非常に迅速にセットすることができる。そしてハンドル１８は蓋体の外見よりして予想外に大きいものであり、老人等であっても十分身体を安定させられるので安心感がある。
【図面の簡単な説明】
【００１８】
【図１】本発明に係る災害時のトイレ兼用蓋の１例を示す平面図。
【図２】同上の長手方向における全体の縦断面図。
【図３】本発明のものの下面図。
【図４】同じく幅方向における横断面図。
【図５】ハンドル取り付け状態を示す分解斜視図。
【図６】使用状態を示す、図２と同様の全体縦断面図。
【符号の説明】
【００１９】
１０  災害時のトイレ兼用蓋
１１  便器本体
１２  用便口
１３  蓋体
１４  支軸
１５  軸受孔
１６  嵌合凹部
１７  取り付け部側の端部
１８  ハンドル
１９  取り付け金具
２１  不使用時取り付け部
２３  締着具
３３  使用時取り付け部
【図１】
2005240510.tif 000003
【図２】
2005240510.tif 000004
【図３】
2005240510.tif 000005
【図４】
2005240510.tif 000006
【図５】
2005240510.tif 000007
【図６】
2005240510.tif 000008